(57)【要約】【課題】新しく設置した無線子機の設定が失敗していたとしても、古い無線子機が応答してしまうことによって気付かず、運用開始後に通信が行えなくなる場合には、検針が行えない他、メータの有する便利機能の利用にも支障をきたし、顧客の利便性を損なう。【解決手段】無線子機２が所定の操作を受付け、メータ送受信部２４を介してメータ３にメータ起動電文を送信し、メータ７から取得したメータ管理ＩＤを登録し、このＩＤに向けて無線送受信部より呼び出し信号を送信し、応答があった場合に表示部２７から所定のＩＤ重複表示を行う。【選択図】図２
2010251893.tif 000002
【特許請求の範囲】
【請求項１】
メータ装置に接続されて前記メータ装置で検出される検針データを送信する無線子機と、前記無線子機の一部から送信される検針データを受信する無線親機とを備え、
前記無線親機は前記メータのＩＤ情報を用いて、無線子機を呼び出すとともに、
前記無線子機は前記メータ装置からＩＤ情報を取得し、該ＩＤ情報を用いて前記無線親機からの呼び出しに応答する無線子機であって、
前記無線子機はメータ装置からＩＤ情報を取得した場合、該ＩＤを用いて無線子機を呼び出し、応答があった場合に報知を行う自動検針無線システムの無線子機。
【請求項２】
メータ装置に接続されて前記メータ装置で検出される検針データを送信する無線子機と、前記無線子機の一部から送信される検針データを受信する無線親機とを備え、
前記無線親機は前記メータのＩＤ情報を用いて、無線子機を呼び出すとともに、
前記無線子機は前記メータ装置からＩＤ情報を取得し、該ＩＤ情報を用いて前記無線親機からの呼び出しに応答する無線子機であって、
前記無線子機はメータ装置からＩＤ情報を取得した場合、該ＩＤを用いて無線子機を呼び出し、応答があった場合にＩＤ消去要求を送信する自動検針無線システムの無線子機。
【請求項３】
メータ装置に接続されて前記メータ装置で検出される検針データを送信する無線子機と、前記無線子機の一部から送信される検針データを受信する無線親機とを備え、
前記無線親機は前記メータのＩＤ情報を用いて、無線子機を呼び出すとともに、
前記無線子機は前記メータ装置からＩＤ情報を取得し、該ＩＤ情報を用いて前記無線親機からの呼び出しに応答する無線子機であって、
前記無線子機はメータ装置からＩＤ情報を取得した場合、該ＩＤを用いて無線子機を呼び出し、応答があった場合に動作停止要求を送信する自動検針無線システムの無線子機。
【請求項４】
メータ装置に接続されて前記メータ装置で検出される検針データを送信する無線子機と、前記無線子機の一部から送信される検針データを受信する無線親機とを備え、
前記無線親機は前記メータのＩＤ情報を用いて、無線子機を呼び出すとともに、
前記無線子機は前記メータ装置からＩＤ情報を取得し、該ＩＤ情報を用いて前記無線親機からの呼び出しに応答する無線子機であって、
前記無線子機はメータ装置からＩＤ情報を取得した場合、該ＩＤを用いて無線子機を呼び出し、応答があった場合にあらかじめ定められたデータへの変更要求を送信する自動検針無線システムの無線子機。
【発明の詳細な説明】
【技術分野】
【０００１】
本発明はガス、水道、電気等の使用量の検針を行う際の自動検針無線システムの無線子機に関するものである。
【背景技術】
【０００２】
家庭やオフィスあるいは工場などのガス、水道、電気等を使用するところにはその使用量を測定するためのメータが設置されている。このメータはガス、水道、電気等の使用量のデータを記録しておき、従来は検針員がそのデータを回収していた。
【０００３】
最近になって、メータに記録されたデータを電話等の通信回線を介して隔測検針装置であるセンタに回収する自動検針システムが普及し始めている。この自動検針システムは、たとえば、各需要家に設置されている電話用の回線とメータとを通信線で接続し、電話回線を介してセンタとメータとで通信を行うものである。
【０００４】
通信するデータは検針業務に関するもので、例えばメータの検針値をセンタに送信したり、メータで異常があってガス弁を遮断したことをセンタに通報したり、逆にセンタからメータの検針値を要求したり、センタからメータのガス弁を遠隔遮断する内容のデータである。
【０００５】
ところで、このような自動検針システムの場合、電話用の回線とメータとを通信線で接続する必要があるため、需要家の屋内外に通信線を引き回し配線する手間と費用が必要であった。特に、電話用の回線とメータとが離れている場合にはこの配線作業はかなりの負担であり、既設の家屋の場合には配線が無理な場合さえあった。
【０００６】
そこで、各需要家の電話用の回線に端末網制御装置（以下「Ｔ−ＮＣＵ」という）を介して無線親機を接続するとともにメータに無線子機を接続し、無線親機と無線子機との間で無線で通信を行うようにすることによって屋内外の配線を不要とする自動検針システムについて提案されている（例えば、特許文献１参照）。また、電話用の回線を用いず、無線親機に代わってハンディターミナルを用いる場合もある。
【０００７】
こうした無線での検針を行う場合、特にセンタやハンディターミナルで需要家を識別するためのメータ管理ＩＤの設定は無くては通信が不可能であり、設置後の設定が必要である。そこで、メータ装置からメータ管理ＩＤを読み取り設定を行っている（例えば、特許文献２参照）。
【先行技術文献】
【特許文献】
【０００８】
【特許文献１】特開平６−０８５９３８号公報
【特許文献２】特開２００３−１９８７４４号公報
【発明の概要】
【発明が解決しようとする課題】
【０００９】
しかしながら、こうしたシステムでは、新規に設置する場合の利便性のみが追求されており、メンテナンスや設置誤りに対する配慮がなされていなかった。
【００１０】
たとえば、電池消耗等で無線子機を交換する場合、すでについている無線子機が動作可能なうちに交換を行うが、作業者は古い無線子機を取り外し、新しい無線子機を取り付け
て設定を行う。すると、同一のメータ管理ＩＤを有した子機が２台出来てしまうため、たとえば通信確認をするためにこのメータＩＤを用いて無線子機を呼び出すと、双方とも受信し、応答をし、電波干渉により通信が出来ない場合があった。また、新しく設置した無線子機の設定が失敗していたとしても、古い無線子機が応答してしまうことによって気付かず、運用開始後に通信が行えなくなる場合には、検針が行えない他、メータの有する便利機能の利用にも支障をきたし、顧客の利便性を損なう等の課題もあった。
【００１１】
本発明は前記従来の課題を解決するもので、自動検針無線子機の設置時における無線子機へのメータＩＤの設定に対し、メンテナンス時に生じがちな旧子機の存在による不都合を解消することを目標とする。
【課題を解決するための手段】
【００１２】
前記従来の課題をするために、本発明の自動検針無線子機は、メータ装置に接続されて前記メータ装置で検出される検針データを送信する無線子機と、前記無線子機の一部から送信される検針データを受信する無線親機とを備え、前記無線親機は前記メータのＩＤ情報を用いて、無線子機を呼び出すとともに、前記無線子機は前記メータ装置からＩＤ情報を取得し、該ＩＤ情報を用いて前記無線親機からの呼び出しに応答するとともに、メータ装置からＩＤ情報を取得した場合、該ＩＤを用いて無線子機を呼び出し、応答があった場合に異常報知を行う構成となっている。
【発明の効果】
【００１３】
本発明は無線子機のメンテナンス時の作業を確実にし、作業に関わる時間・コストの低減や作業誤りによる顧客の利便性の損失をなくするものである。
【図面の簡単な説明】
【００１４】
【図１】本発明の実施の形態における自動検針無線システムのブロック図
【図２】本発明の第１の実施の形態における通信手順を示すシーケンス図
【図３】本発明の第１の実施の形態における通信手順を示すタイミングチャート
【図４】本発明の第１の実施の形態における通信手順を示すタイミングチャート
【図５】本発明の第２の実施の形態における通信手順を示すシーケンス図
【図６】本発明の第２の実施の形態における通信手順を示すタイミングチャート
【図７】本発明の第３の実施の形態における通信手順を示すシーケンス図
【図８】本発明の第３の実施の形態における通信手順を示すタイミングチャート
【図９】本発明の第４の実施の形態における通信手順を示すシーケンス図
【図１０】本発明の第４の実施の形態における通信手順を示すタイミングチャート
【発明を実施するための形態】
【００１５】
第１の発明は、自動検針無線システムの無線子機に関するもので、無線子機はメータ装置に接続されて、前記メータ装置からＩＤ情報を取得し、無線親機から前記メータ装置のＩＤ情報を用いて呼び出された場合に、前記メータ装置で検出される検針データを送信するとともに、メータ装置からＩＤ情報を取得した場合、該ＩＤを用いて無線子機を呼び出し、応答があった場合に同一ＩＤの無線子機の存在を報知する構成となっている。
【００１６】
このため、同一のＩＤを有する無線子機が存在することを作業者が知ることができるため、該当の無線子機を停止させるまたはメータＩＤを変更する等の措置をとることが可能となり作業の確実性を高めることが出来る。
【００１７】
第２の発明は、自動検針無線システムの無線子機に関するもので、無線子機は、メータ装置に接続されて、前記メータ装置からＩＤ情報を取得し、無線親機から前記メータ装置のＩＤ情報を用いて呼び出された場合に、前記メータ装置で検出される検針データを送信
するとともに、メータ装置からＩＤ情報を取得した場合、該ＩＤを用いて無線子機を呼び出し、応答があった場合に該無線子機に対してＩＤ消去要求を送信する構成となっている。
【００１８】
このため、同一のＩＤを有する無線子機が存在する場合にその無線子機の登録ＩＤを消去することができるため、確実に無線子機が使用するＩＤの重複を防止することが可能となり同一ＩＤの無線子機による通信妨害の課題を排除することが出来る。また、こうした作業を無線子機が自動的に行うことにより作業の確実性を高めることが出来る。
【００１９】
第３の発明は、自動検針無線システムの無線子機に関するもので、無線子機は、メータ装置に接続されて、前記メータ装置からＩＤ情報を取得し、無線親機から前記メータ装置のＩＤ情報を用いて呼び出された場合に、前記メータ装置で検出される検針データを送信するとともに、メータ装置からＩＤ情報を取得した場合、該ＩＤを用いて無線子機を呼び出し、応答があった場合に該無線子機に対して動作停止要求を送信する構成となっている。
【００２０】
このため、同一のＩＤを有する無線子機が存在する場合にその無線子機の動作を停止することができるため、確実に無線子機が使用するＩＤの重複を防止することが可能となり同一ＩＤの無線子機による通信妨害の課題を排除することが出来る。また、こうした作業を無線子機が自動的に行うことにより作業の確実性を高めることが出来る。
【００２１】
第４の発明は、自動検針無線システムの無線子機に関するもので、無線子機は、メータ装置に接続されて、前記メータ装置からＩＤ情報を取得し、無線親機から前記メータ装置のＩＤ情報を用いて呼び出された場合に、前記メータ装置で検出される検針データを送信するとともに、メータ装置からＩＤ情報を取得した場合、該ＩＤを用いて無線子機を呼び出し、応答があった場合に該無線子機に対してあらかじめ定められたデータへの変更要求を送信する構成となっている。
【００２２】
このため、同一のＩＤを有する無線子機が存在する場合にその無線子機の登録ＩＤを変更することができるため、確実に無線子機が使用するＩＤの重複を防止することが可能となり同一ＩＤの無線子機による通信妨害の課題を排除することが出来る。また、こうした作業を無線子機が自動的に行うことにより作業の確実性を高めることが出来る。
【００２３】
以下、本発明の実施の形態について、図面を参照しながら説明する。なお、この実施の形態によって本発明が限定されるものではない。
【００２４】
（実施の形態１）
以下本発明の第１の実施の形態を図面に基づいて説明する。図１は本発明による無線子機を含む自動検針システムのブロック図である。１はハンディターミナル装置であり無線を介して無線子機２と接続される。無線子機２は需要家のメータ３に接続される。なお、ハンディターミナル装置は携帯型でなくとも公衆回線等に接続された固定型の無線親機などでもよい。
【００２５】
２１はアンテナであり、２２は無線の信号を送受信する無線送受信部、２３は制御部、２４はメータとの間で信号を送受信するメータ送受信部、２５は操作部、２６はメータＩＤ記憶部、２７は表示部である。
【００２６】
図２は、本発明の第１の実施例の無線子機の初期設定モードのフローチャートである。
【００２７】
図３および図４は、本発明の第１の実施例の無線子機の初期設定時の動作を示すタイミ
ングチャートである。同一の動作を行うものには同一の記号を付してある。
【００２８】
同一のメータＩＤを有する無線子機がない場合の動作を図２、図３を元に説明する。
【００２９】
この初期設定モードは操作部２５を所定の操作（例えば、起動用スイッチをオンしたとき）を行った時に実行される（Ｓ１０１）。そして、無線子機２は所定の操作（図３ａ）を受付けると、メータ送受信部２４を介してメータ３にメータ起動電文（図３ｂ）を送信し（Ｓ１０２）、メータ３が応答（図３ｃ）したメータ管理ＩＤを取得する（Ｓ１０３）。制御部２３は取得したメータ管理ＩＤを確認し正しく受信されていれば（Ｓ１０４）、メータ管理ＩＤをメータＩＤ記憶部２６に記憶する（図３ｄ）。メータ管理ＩＤが正しく受信されない場合は表示部２７に登録失敗を示すパターン表示を行う（Ｓ１０５）。メータＩＤが正しく受信された場合、無線送受信部２２を介して取得したＩＤ宛に呼び出し信号（図３ｅ）を送信し（Ｓ１０７）、応答信号を受信する（Ｓ１０８）。同一のメータＩＤを登録する子機がなければ応答が返らないため、所定の時間後に応答なしを判定し（図３ｆ）、表示部２７に登録成功を示すパターン表示を行う（Ｓ１０９、図３ｇ）。
【００３０】
次に同一のメータＩＤを有する無線子機２’が存在する場合の動作を図２、図４を用いて説明する。呼び出し信号（図４ｅ）を受信すると、無線子機２’はメータＩＤが一致しているため応答する（図４ｈ）。これを受信すると（Ｓ１０８ＹＥＳ）、表示部２７にＩＤ重複を示すパターン表示を行う（Ｓ１１０、図４ｉ）。
【００３１】
以上のように、本実施例においては、無線子機２が所定の操作を受付け、メータ送受信部２４を介してメータ３にメータ起動電文を送信し、メータ７から取得したメータ管理ＩＤを登録し、このＩＤに向けて無線送受信部（２２）より呼び出し信号を送信し、応答があった場合に表示部２７から所定のＩＤ重複表示を行い、他の無線子機とメータ管理ＩＤのデータが重複していることを設置作業者に知らしめることができる。
【００３２】
また、表示部２７に関しては、専用の表示部を設けず、ＬＥＤ等の安価な表示素子によるパターン表示で可能である。また、表示部の代わりに、設定機等への信号として送信しても、音声等で報知することも可能である。
【００３３】
（実施の形態２）
次に、本発明の第２の実施の形態を図面に基づいて説明する。図５は、本発明の第２の実施例の無線子機の初期設定モードのフローチャートである。図６は、本発明の第２の実施例の無線子機の初期設定時の動作を示すタイミングチャートである。実施例１と同一の動作を行うものには同一の記号を付してある。
【００３４】
この初期設定モードは実施の形態１と同様に開始し、同様に取得したＩＤ宛に呼び出し信号（図６ｅ）を送信し（Ｓ１０７）、応答信号を受信する（Ｓ１０８）。同一のメータＩＤを有する無線子機２’が存在する場合、無線子機２’の応答信号を受信すると（Ｓ１０８ＹＥＳ）、無線子機２’宛に登録ＩＤ消去要求（図６ｊ）を送信する（Ｓ１１１）。無線子機２’が登録ＩＤを消去して応答信号（図６ｋ）を返した場合には、これを受信し（Ｓ１１２ＹＥＳ）、表示部２７に登録成功を表示する（Ｓ１０９、図６ｌ）。応答信号が受信できない場合（Ｓ１１２ＮＯ）、表示部２７にＩＤ重複を示すパターン表示を行う（Ｓ１１０）。
【００３５】
以上のように、本実施例においては、無線子機２が所定の操作を受付け、メータ送受信部２４を介してメータ３にメータ起動電文を送信し、メータ７から取得したメータ管理ＩＤを登録し、このＩＤに向けて無線送受信部（２２）より呼び出し信号を送信し、応答があった場合に応答した無線子機の登録ＩＤを消去する要求信号を送信するため、他の無線
子機とメータ管理ＩＤのデータが重複を回避することが出来、設置作業者の手を煩わせることがなく効率的であるばかりか、設置作業者の教育を軽減したり、ＩＤ重複による失敗をなくし、作業を確実かつ効率的にすることができる。
【００３６】
（実施の形態３）
以下本発明の第３の実施の形態を図面に基づいて説明する。図７は、本発明の第３の実施の形態の無線子機の初期設定モードのフローチャートである。図８は、本発明の第３の実施の形態の無線子機の初期設定時の動作を示すタイミングチャートである。実施例２と同一の動作を行うものには同一の記号を付してある。
【００３７】
この初期設定モードは実施例２と同様に開始し、同様に取得したＩＤ宛に呼び出し信号（図８ｅ）を送信し（Ｓ１０７）、応答信号を受信する（Ｓ１０８）。同一のメータＩＤを有する無線子機２’が存在する場合、無線子機２’の応答信号を受信すると（Ｓ１０８ＹＥＳ）、無線子機２’宛に動作停止要求（図８ｍ）を送信する（Ｓ１１３）。無線子機２’がこの信号を受け付けた場合には応答信号（図８ｎ）を返信し、動作を停止する。子機２はこれを受信し（Ｓ１１４ＹＥＳ）、表示部２７に登録成功を表示する（Ｓ１０９、図８ｌ）。応答信号が受信できない場合（Ｓ１１４ＮＯ）、表示部２７にＩＤ重複を示すパターン表示を行う（Ｓ１１０）。
【００３８】
以上のように、本実施例においては、無線子機２が所定の操作を受付け、メータ送受信部２４を介してメータ３にメータ起動電文を送信し、メータ７から取得したメータ管理ＩＤを登録し、このＩＤに向けて無線送受信部（２２）より呼び出し信号を送信し、応答があった場合に応答した無線子機の動作停止する要求信号を送信するため、他の無線子機とメータ管理ＩＤのデータが重複を回避することが出来、設置作業者の手を煩わせることがなく効率的であるばかりか、設置作業者の教育を軽減したり、ＩＤ重複による失敗をなくし、作業を確実かつ効率的にすることができる。
【００３９】
（実施の形態４）
以下本発明の第４の実施の形態を図面に基づいて説明する。図９は、本発明の第４の実施の形態における無線子機の初期設定モードのフローチャートである。図１０は、本発明の第４の実施の形態における無線子機の初期設定時の動作を示すタイミングチャートである。実施の形態２と同一の動作を行うものには同一の記号を付してある。
【００４０】
この初期設定モードは第２の実施の形態と同様に開始し、同様に取得したＩＤ宛に呼び出し信号（図１０ｅ）を送信し（Ｓ１０７）、応答信号を受信する（Ｓ１０８）。同一のメータＩＤを有する無線子機２’が存在する場合、無線子機２’の応答信号を受信すると（Ｓ１０８ＹＥＳ）、無線子機２’宛に登録ＩＤ変更要求（図１０ｏ）を送信する（Ｓ１１５）。無線子機２’が登録ＩＤを変更して応答信号（図１０ｐ）を返した場合には、これを受信し（Ｓ１１６ＹＥＳ）、表示部２７に登録成功を表示する（Ｓ１０９、図１０ｌ）。応答信号が受信できない場合（Ｓ１１６ＮＯ）、表示部２７にＩＤ重複を示すパターン表示を行う（Ｓ１１０）。
【００４１】
以上のように、本実施の形態においては、無線子機２が所定の操作を受付け、メータ送受信部２４を介してメータ３にメータ起動電文を送信し、メータ７から取得したメータ管理ＩＤを登録し、このＩＤに向けて無線送受信部（２２）より呼び出し信号を送信し、応答があった場合に応答した無線子機の登録ＩＤを変更する要求信号を送信するため、他の無線子機とメータ管理ＩＤのデータが重複を回避することが出来、設置作業者の手を煩わせることがなく効率的であるばかりか、設置作業者の教育を軽減したり、ＩＤ重複による失敗をなくし、作業を確実かつ効率的にすることができる。
【産業上の利用可能性】
【００４２】
以上説明したように、本発明によれば、自動検針無線機の初期登録時における他の無線子機とのＩＤ重複による通信不良の原因を容易に確認または回避することができる。特にこうした効果は、接続されるメータ装置がなくとも通信可能な無線子機通信や中継機能を有する無線子機において作業の信頼性が向上できる。
【符号の説明】
【００４３】
１  ハンディターミナル装置
２  無線子機
３  メータ
２１  アンテナ
２２  無線送受信部
２３  制御部
２４  メータ送受信部
２５  操作部
２６  メータＩＤ記憶部
２７  表示部
【図１】
2010251893.tif 000003
【図２】
2010251893.tif 000004
【図３】
2010251893.tif 000005
【図４】
2010251893.tif 000006
【図５】
2010251893.tif 000007
【図６】
2010251893.tif 000008
【図７】
2010251893.tif 000009
【図８】
2010251893.tif 000010
【図９】
2010251893.tif 000011
【図１０】
2010251893.tif 000012